(57)【特許請求の範囲】
【請求項１】
情報記録媒体において、
永久情報及び制御データ（ＰＩＣ：permanent  information  &  control  data）領域（ＰＩＣ領域）を含む少なくとも１層の記録層と、ＰＩＣ領域を含まない少なくとも２つの記録層を含む少なくとも３層の記録層を含み、
オプティカルパワーコントロール領域（ＯＰＣ領域）が前記少なくとも３層の記録層のリードイン領域に割り当てられ、前記少なくとも３層の記録層に割り当てられるＯＰＣ領域は、互いに異なる半径に配列され、
前記ＰＩＣ領域が未割り当ての少なくとも２層の記録層に割り当てられたＯＰＣ領域のうち少なくとも一つは、前記ＰＩＣ領域が割り当てられた半径内に全て割り当てられ、前記ＰＩＣ領域が未割り当ての少なくとも２層の記録層に割り当てられたＯＰＣ領域のうち少なくとも他の１領域は、前記ＰＩＣ領域が割り当てられた半径内に、一部がオーバーラップされるように割り当てられることを特徴とする情報記録媒体。
【請求項２】
少なくとも３層の記録層を有する情報記録媒体にデータを記録再生する装置において、
前記情報記録媒体と関連して、データを記録再生するピックアップと、
前記情報記録媒体にデータを記録再生するように、前記ピックアップを制御する制御部と、を含み、
前記少なくとも３層の記録層は、永久情報及び制御データ領域（ＰＩＣ領域）を含む少なくとも１層の記録層と、ＰＩＣ領域を含まない少なくとも２層の記録層を含み、
オプティカルパワーコントロール領域（ＯＰＣ領域）が前記少なくとも３層の記録層のリードイン領域に割り当てられ、前記少なくとも３層の記録層に割り当てられるＯＰＣ領域は、互いに異なる半径に配列され、
前記ＰＩＣ領域が未割り当ての少なくとも２層の記録層に割り当てられたＯＰＣ領域のうち少なくとも一つは、前記ＰＩＣ領域が割り当てられた半径内に全て割り当てられ、前記ＰＩＣ領域が未割り当ての少なくとも２層の記録層に割り当てられたＯＰＣ領域のうち少なくとも他の１領域は、前記ＰＩＣ領域が割り当てられた半径内に、一部がオーバーラップされるように割り当てられ、
前記制御部は、前記少なくとも３層の記録層に割り当てられるＯＰＣ領域を利用して記録パワーまたは再生パワーを調整することを特徴とする記録再生装置。
【発明の詳細な説明】
【技術分野】
【０００１】
本発明は、情報記録媒体、記録再生装置及び記録再生方法に係り、特に、複数の記録層を有する高密度情報記録媒体に関する。
【背景技術】
【０００２】
情報記録媒体や有無線ネットワークを介した情報伝送の高容量化または大量化のために、情報記録媒体に記録されるデータの高密度、多層のような多様な方法が考案されている。一般的に、情報記録媒体のそれぞれの層は、ディスク記録／再生管理のための領域が設けられているので、多層によって、かようなディスク記録／再生管理のための領域は、さらに必要になる場合がある。代表的な場合が、光パワー制御領域（optical  power  control（ＯＰＣ）area）である。ＯＰＣ領域は、パワー（power）をキャリブレーション（calibration；調整）するためのテスト領域であり、媒体にデータを記録したり再生するのに適正なパワーを、テストを介して見い出すための領域である。最適のパワーを見い出すためのテストを行うために、正常な記録パワーより高いパワーでテストする可能性があり、従って、同一半径付近にある隣接層の領域が損傷を受ける可能性が非常に高く、与えられたＯＰＣ領域と隣接した層（特に、光ビーム（optical  beam）の進行方向下にある層）の領域は、使用し難い。これによって、多層の場合、新たなＯＰＣ領域が必要になる。一例として、ブルーレイディスク（ＢＤ：blu-ray  disc）は、シングルレイヤ（ＳＬ：single  layer）またはデュアルレイヤ（ＤＬ：dual  layer）のためのＯＰＣ領域が設けられているので、高容量化のために、トリプルレイヤ（ＴＬ：triple  layer）・ディスクまたはクァドラプルレイヤ（ＱＬ：quadruple  layer）・ディスクのためには、別途のＯＰＣ領域が必要になる。
【発明の概要】
【発明が解決しようとする課題】
【０００３】
本発明は、３層以上の情報記録媒体に、ＯＰＣ領域を効率的に配列することによって、記録再生時に、ＯＰＣ動作による影響を減らしつつ、他の層のデータ記録再生を円滑にする情報記録媒体、装置、方法を提供することを目的とする。
【０００４】
また本発明は、ユーザ領域とスペア領域との使用方向が反対であるとき、連続欠陥代替を効果的に管理可能にする情報記録媒体、装置、方法を提供することを目的とする。
【課題を解決するための手段】
【０００５】
前記のような課題を解決するために、少なくとも３層の記録層を有する情報記録媒体において、各記録層は、少なくとも１つの光パワー制御（ＯＰＣ）領域を含み、前記各記録層の各ＯＰＣ領域は、隣接層と、半径を中心にしてオーバーラップしないように、割り当てられる。
【０００６】
少なくとも３層の記録層を含む情報記録媒体において、永久情報及び制御データ（ＰＩＣ：permanent  information  &  control  data）領域が割り当てられた少なくとも１層の記録層を有し、ＰＩＣ領域が未割り当ての少なくとも２層の記録層を有し、前記ＰＩＣ領域が未割り当ての少なくとも２層の記録層それぞれに割り当てられる各ＯＰＣ領域は、互いに異なる半径に配列され、前記ＰＩＣ領域が未割り当ての少なくとも２層の記録層それぞれに割り当てられたＯＰＣ領域のうち少なくとも１領域は、前記ＰＩＣ領域が割り当てられた半径内に割り当てられ、少なくとも他の１領域は、前記ＰＩＣ領域が割り当てられた半径内に、一部がオーバーラップされるように割り当てられる。
【０００７】
情報記録媒体において、ユーザデータを記録するためのユーザデータ領域と、前記ユーザデータ領域で検出された欠陥を代替するためのスペア領域と、を含み、前記ユーザデータ領域のトラッキング方向と、前記スペア領域の使用方向は、互いに反対であり、前記ユーザデータ領域で検出された連続的な欠陥クラスタを代替するための前記スペア領域の連続的な代替クラスタにデータが記録されるとき、前記連続的な代替クラスタ中の代替クラスタは、前記トラッキング方向に使われる。
【発明の効果】
【０００８】
本発明によれば、３層以上の情報記録媒体に、ＯＰＣ領域を効率的に配列することによって、記録再生時に、ＯＰＣ動作による影響を減らしつつ、他の層のデータ記録再生を円滑に行うことができる。
【０００９】
また、本発明によれば、ユーザ領域とスペア領域との使用方向が反対であるとき、連続欠陥代替を効果的に管理することができる。
【図面の簡単な説明】
【００１０】
【図１】本発明によって、３層以上の情報記録媒体で、偏心などを考慮してＯＰＣ領域を割り当てる方法の基本的な概念を説明するためのディスク・レイアウトを示す図である。
【図２】ＢＤ―Ｒ（blu-ray  disc  recordable）ＴＬ（triple  layer）／ＱＬ（quadruple  layer）（３２ＧＢ／Ｌまたは３３ＧＢ／Ｌ）のディスク・レイアウトの第１例を示す図である。
【図３】ＢＤ−Ｒ  ＴＬ／ＱＬ（３２ＧＢ／Ｌまたは３３ＧＢ／Ｌ）のディスク・レイアウトの第２例を示す図である。
【図４】ＢＤ−Ｒ  ＴＬ／ＱＬ（３２ＧＢ／Ｌまたは３３ＧＢ／Ｌ）のディスク・レイアウトの第３例を示す図である。
【図５】ＢＤ−Ｒ  ＴＬ／ＱＬ（３２ＧＢ／Ｌまたは３３ＧＢ／Ｌ）のディスク・レイアウトの第４例を示す図である。
【図６】ＢＤ−Ｒ  ＴＬ／ＱＬ（３２ＧＢ／Ｌまたは３３ＧＢ／Ｌ）のディスク・レイアウトの第５例を示す図である。
【図７】ＢＤ−Ｒ  ＴＬ（３２ＧＢ／Ｌまたは３３ＧＢ／Ｌ）のディスク・レイアウトの第１例を示す図である。
【図８】ＢＤ−Ｒ  ＴＬ（３２ＧＢ／Ｌまたは３３ＧＢ／Ｌ）のディスク・レイアウトの第２例を示す図である。
【図９】ＢＤ−ＲＥ（blu-ray  disc  rewritable）ＴＬ／ＱＬ（３２ＧＢ／Ｌまたは３３ＧＢ／Ｌ）のディスク・レイアウトの第１例を示す図である。
【図１０】ＢＤ−ＲＥ  ＴＬ／ＱＬ（３２ＧＢ／Ｌまたは３３ＧＢ／Ｌ）のディスク・レイアウトの第２例を示す図である。
【図１１】層ごとの容量による基準ディスクパラメータ（reference  disc  parameter）を例示する図である。
【図１２】ＨＣ  ＢＤ−Ｒ  ＱＬ（high  capacity  blu-ray-recordable  quadruple  layer）の不十分なインナーゾーン容量を説明するための参考図である。
【図１３】インナーゾーン・レイアウト・オプション１の細部構成を示す図である。
【図１４】ＨＣ  ＢＤ−Ｒの細部的なＩＮＦＯ  １  １３６０とＩＮＦＯ  ２  １３７０とを示す図である。
【図１５】ＨＣ  ＢＤ−ＲＥの細部的なＩＮＦＯ  １  １３６０とＩＮＦＯ  ２  １３７０とを示す図である。
【図１６】ＲＥ／Ｒ（rewritable／recordable）ＴＬディスクのインナーゾーン・レイアウト・オプション２の細部構成を示す図である。
【図１７】ＨＣ  ＢＤ−Ｒの細部的なＩＮＦＯ  １  １６５０とＩＮＦＯ  ２  １６６０とを示す図である。
【図１８】ＨＣ  ＢＤ−ＲＥの細部的なＩＮＦＯ  １  １６５０とＩＮＦＯ  ２  １６６０とを示す図である。
【図１９】Ｒ  ＱＬディスクのためのインナーゾーン・レイアウト・オプション２の細部構成を示している。
【図２０】ユーザデータ領域の使用方向と、スペア領域の使用方向とが同一であるときのスペア領域での連続欠陥代替を説明するための図である。
【図２１】ユーザデータ領域の使用方向と、スペア領域の使用方向とが反対であるとき、示されうる連続代替記録状態を説明するための参考図である。
【図２２】本発明によって、トラッキング方向とスペア領域の使用方向とが反対であるとき、連続欠陥代替記録にかかる時間を節約するための記録方法の一例を示す図である。
【図２３】本発明による記録再生装置の概略的なブロック図である。
【図２４】図２３に図示された本発明による記録再生装置が具現されたドライブのブロック図である。
【図２５】本発明による記録方法のフローチャートである。
【図２６】本発明による再生方法のフローチャートである。
【発明を実施するための形態】
【００１１】
本発明の課題を解決するための１つの特徴は、少なくとも３層の記録層を有する情報記録媒体において、各記録層は、少なくとも１つの光パワー制御（ＯＰＣ：optical  power  control）領域を含み、前記各記録層の各ＯＰＣ領域は、隣接層と、半径を中心にしてオーバーラップしないように、割り当てられる。
【００１２】
前記各記録層は、各ＯＰＣ領域に隣接した少なくとも１つのバッファ領域を含み、ＯＰＣ領域が存在する２層の記録層間に存在する記録層のＯＰＣ領域は、対応ＯＰＣ領域の内側及び外側いずれにも隣接したバッファ領域を有することが望ましい。
【００１３】
前記バッファ領域の大きさは、ディスク規格で定める各記録層間の偏心に該当する物理的な領域以上に割り当てられることが望ましい。
【００１４】
前記各ＯＰＣ領域は、各記録層のリードイン領域に配列されることを特徴とすることが望ましい。
【００１５】
本発明の他の特徴は、少なくとも３層の記録層を含む情報記録媒体において、永久情報及び制御データ（ＰＩＣ：permanent  information  &  control  data）領域が割り当てられた少なくとも１層の記録層を有し、ＰＩＣ領域が未割り当ての少なくとも２層の記録層を有し、前記ＰＩＣ領域が未割り当ての少なくとも２層の記録層それぞれに割り当てられる各ＯＰＣ領域は、互いに異なる半径に配列され、前記ＰＩＣ領域が未割り当ての少なくとも２層の記録層それぞれに割り当てられたＯＰＣ領域のうち少なくとも１領域は、前記ＰＩＣ領域が割り当てられた半径内に割り当てられ、少なくとも他の１領域は、前記ＰＩＣ領域が割り当てられた半径内に、一部がオーバーラップされるように割り当てられる。
【００１６】
本発明のさらに他の特徴は、少なくとも３層の記録層を含む情報記録媒体において、ＰＩＣ領域が割り当てられた少なくとも２層の記録層を有し、ＰＩＣ領域が未割り当ての少なくとも１層の記録層を有し、前記ＰＩＣ領域が未割り当ての少なくとも１層の記録層に割り当てられたＯＰＣ領域は、前記ＰＩＣ領域が割り当てられた少なくとも２層の記録層それぞれに割り当てられたＯＰＣ領域とは互いに異なる半径に割り当てられ、前記少なくとも２層の記録層に割り当てられたＰＩＣ領域は、互いに同一半径に割り当てられ、前記ＰＩＣ領域が未割り当ての少なくとも１層の記録層に割り当てられたＯＰＣ領域は、前記少なくとも２層の記録層に割り当てられたＰＩＣ領域のうち少なくとも１つのＰＩＣ領域が割り当てられた半径内に、一部がオーバーラップされたり、または半径内に割り当てられる。
【００１７】
本発明のさらに他の特徴は、少なくとも３層の記録層を有する情報記録媒体にデータを記録再生する装置において、各記録層は、少なくとも１つの光パワー制御（ＯＰＣ）領域を含み、前記各記録層の各ＯＰＣ領域は、隣接層と、半径を中心にしてオーバーラップしないように、割り当てられる前記情報記録媒体と関連してデータを記録再生するピックアップと、前記情報記録媒体にデータを記録再生するように、前記ピックアップを制御する制御部と、を含む。
【００１８】
本発明のさらに他の特徴は、情報記録媒体において、ユーザデータを記録するためのユーザデータ領域と、前記ユーザデータ領域で検出された欠陥を代替するためのスペア領域と、を含み、前記ユーザデータ領域のトラッキング方向と、前記スペア領域の使用方向は、互いに反対であり、前記ユーザデータ領域で検出された連続的な欠陥クラスタを代替するための前記スペア領域の連続的な代替クラスタにデータが記録されるとき、前記連続的な代替クラスタのうち代替クラスタは、前記トラッキング方向に使われうる。
【００１９】
本発明のさらに他の特徴は、情報記録媒体にデータを記録する装置において、ユーザデータを記録するためのユーザデータ領域と、前記ユーザデータ領域で検出された欠陥を代替するためのスペア領域と、を含み、前記ユーザデータ領域のトラッキング方向と、前記スペア領域の使用方向は、互いに反対である前記情報記録媒体と関連して、データを記録再生するピックアップと、前記ユーザデータ領域で検出された連続的な欠陥クラスタを代替するための前記スペア領域の連続的な代替クラスタにデータを記録するとき、前記連続的な代替クラスタのうち、前記トラッキング方向で最初の代替クラスタからデータを記録するように、前記ピックアップを制御する制御部と、を含む。
【００２０】
本発明のさらに他の特徴は、情報記録媒体からデータを再生する装置において、ユーザデータを記録するためのユーザデータ領域と、前記ユーザデータ領域で検出された欠陥を代替するためのスペア領域と、を含み、前記ユーザデータ領域のトラッキング方向と、前記スペア領域の使用方向は、互いに反対である前記情報記録媒体と関連して、データを記録再生するピックアップと、前記ユーザデータ領域で検出された連続的な欠陥クラスタを代替する前記スペア領域の連続的な代替クラスタからデータを読み取るとき、前記連続的な代替クラスタのうち、前記トラッキング方向で最初の代替クラスタからデータを読み取るようにピックアップを制御する制御部と、を含む。
【００２１】
本発明のさらに他の特徴は、ユーザデータを記録するためのユーザデータ領域と、前記ユーザデータ領域で検出された欠陥を代替するためのスペア領域と、を含み、前記ユーザデータ領域のトラッキング方向と、前記スペア領域の使用方向は、互いに反対である情報記録媒体にデータを記録する方法において、前記ユーザデータ領域で検出された連続的な欠陥クラスタを代替するための前記スペア領域の連続的な代替クラスタにデータを記録するとき、前記連続的な代替クラスタのうち、前記トラッキング方向で最初の代替クラスタからデータを記録する段階を含む。
【００２２】
本発明のさらに他の特徴は、ユーザデータを記録するためのユーザデータ領域と、前記ユーザデータ領域で検出された欠陥を代替するためのスペア領域と、を含み、前記ユーザデータ領域のトラッキング方向と、前記スペア領域の使用方向は、互いに反対である情報記録媒体からデータを再生する方法において、前記ユーザデータ領域で検出された連続的な欠陥クラスタを代替する前記スペア領域の連続的な代替クラスタからデータを再生するとき、前記連続的な代替クラスタのうち、前記トラッキング方向で最初の代替クラスタからデータを再生する段階を含む。
【００２３】
以下、本発明の望ましい実施形態について、添付図面を参照しつつ詳細に説明する。
【００２４】
本発明は、３層以上の情報記録媒体において、それぞれの層は、内周側に少なくとも１つのＯＰＣ領域が設けられ、それぞれのＯＰＣ領域は、隣接層と、半径を中心にしてオーバーラップしないように、割り当てられる。
【００２５】
各層のＯＰＣ領域は、当該層で、少なくとも１つの隣接したバッファ領域を有するが、ディスク半径を中心としてみたとき、少なくとも層数ほど存在するＯＰＣ領域のうち２つのＯＰＣ領域間に存在するＯＰＣ領域は、内側及び外側いずれにも隣接したバッファ領域を有する。
【００２６】
前記バッファ領域の大きさは、ディスク規格で定める各層間の偏心に該当する物理的な領域以上を割り当てる。例えば、隣接層間の偏心が半径０．１ｍｍ以内の誤差でディスクが製作されねばならないと規定するならば、前記バッファ領域は、半径０．１ｍｍ以上の大きさで割り当てられねばならない。
【００２７】
層間偏心とは、基準点（例えば、完成されたディスクの中心）を中心に、それぞれの層の同一半径にあると考える領域間の半径誤差をいう。例えば、それぞれの記録層（recording  layer）のデータ領域（data  area）が半径２４ｍｍから始まると定義するとき、製造特性上、正確に始まり難く、また記録層を付けて完成された多層のディスクを製造するために、層間誤差もあり、一般的に規格上で、それぞれの記録層が誤差限界±０．０５ｍｍをおき、２４．０±０．０５ｍｍから始まると定義すれば、完成されたディスクの基準点で、ある記録層は、２３．９５ｍｍからデータ領域が始まり、ある記録層は、２４．０５ｍｍからデータ領域が始まるのである。この場合、記録層間の層間偏心は、最大０．１ｍｍが発生する。かような層間偏心のために、ＯＰＣ領域を割り当てるとき、隣接層間の層間偏心を考慮し、バッファ領域を割り当てなければならない。特に、光ビームが進む方向下にある層は、その影響を無視することができない。
【００２８】
図１は、本発明によって３層以上の情報記録媒体で、偏心などを考慮してＯＰＣ領域を割り当てる方法の基本的な概念を説明するためのディスク・レイアウトである。
【００２９】
図１で、情報記録媒体は、Ｌ０  １０、Ｌ１  ２０、Ｌ２  ３０、Ｌ３  ４０の４層の記録層から構成される。光ビームは、Ｌ３側から入射される。光パワー制御（ＯＰＣ）領域は、リードイン領域またはリードアウト領域にも配列されうるが、図１では、内周側リードイン領域に配列されていると示されている。Ｌ０には、ＯＰＣ領域０  ２１が配列され、Ｌ１には、ＯＰＣ領域１  ２２が配列され、Ｌ２には、ＯＰＣ領域２  ２３が配列され、Ｌ３には、ＯＰＣ領域３  ２４が配列される。そして、互いに隣接した２層に配列されたＯＰＣ領域は、半径を中心にしてオーバーラップしないように、互いにずらして配列される。言い換えれば、隣接した２層であるＬ０とＬ１との各ＯＰＣ領域０  ２１とＯＰＣ領域１  ２２は、層間偏心を考慮して、半径を中心にしてオーバーラップしないように、バッファ領域０  １１ほどの間隔をおいて配列される。同様に、Ｌ１とＬ２との各ＯＰＣ領域１  ２２とＯＰＣ領域２  ２３は、層間偏心を考慮して、半径を中心にしてオーバーラップしないように、バッファ領域１  １２ほどの間隔をおいて配列される。また同様に、Ｌ２とＬ３との各ＯＰＣ領域２  ２３とＯＰＣ領域３  ２４は、層間偏心を考慮して、半径を中心にしてオーバーラップしないように、バッファ領域２  １３ほどの間隔をおいて配列される。
【００３０】
そして、ＯＰＣ領域が存在する２層間に配列された層、すなわち、ＯＰＣ領域１  ２２を有しているＬ１  ２０と、ＯＰＣ領域３  ２４を有しているＬ３  ４０との間に存在する層であるＬ２  ３０のＯＰＣ領域２  ２３は、ＯＰＣ領域２の内側及び外側に、バッファ領域１  １２と、隣接したバッファ領域２  １３とがいずれも配列される。また、ＯＰＣ領域０を有しているＬ０と、ＯＰＣ領域２を有しているＬ２との間に存在する層であるＬ１のＯＰＣ領域１も、ＯＰＣ領域１の内側及び外側に、隣接したバッファ領域０  １１と、隣接したバッファ領域１  １２とがいずれも配列される。
【００３１】
かようなバッファ領域の大きさは、ディスク規格で定める各層間の偏心に該当する物理的な領域以上に割り当てることが望ましい。例えば、隣接層間偏心が半径０．１ｍｍ以内の誤差でディスクが製作されねばならないと規定するならば、バッファ領域は、半径０．１ｍｍ以上の大きさで割り当てられねばならない。
【００３２】
図１で、内周側リードイン領域５０が終わる部分からは、データ領域６０が始まる。図１で、情報記録媒体を使用するトラックパスは、Ｌ０の内周側から始まって外周側に進み、Ｌ１では、外周側から始まって内周側に進むオポジット・トラックパス（ＯＴＰ：opposite  track  path）である。同様に、Ｌ２の内周側から始まって外周側に進み、Ｌ３では、外周側から始まって内周側に進むオポジット・トラックパス（ＯＴＰ）である。そして、各層でのＯＰＣ領域の使用方向、すなわち、ＯＰＣ領域内でのデータ記録方向は、トラックパス方向とは、互いに反対である。例えば、Ｌ０でトラックパスは、内周側から外周側であるが、ＯＰＣ０の使用方向は、外周側内周側である。
【００３３】
従って、Ｌ０からＬ３までのＯＰＣ領域の配列は、多様に設定されうるが、Ｌ２とＬ３とでＯＰＣ領域の配列を、Ｌ０とＬ１とでのＯＰＣ領域の配列と同じ形態であるとすれば、記録管理側面で、便利にディスクを使用することができる。
【００３４】
図２ないし図１０は、ＢＤ−Ｒ（blu-ray  disc  recordable）／ＢＤ−ＲＥ（blu-ray  disc  rewritable）３２ＧＢ／Ｌまたは３３ＧＢ／ＬのＴＬ（triple  layer）ディスクまたはＱＬ（quadruple  layer）ディスクの内周側領域の構造を示している。ディスク表面、すなわち、Ｌ３に行くほど高層であり、Ｌ０へ行くほど低層になる。高層に割り当てられたＯＰＣ領域の同一半径にある低層の領域は、いずれも予約領域（reserved）になっている。
【００３５】
図面で括弧内の数字は、当該領域のサイズを示し、必要な部分にのみ図面符号を表示した。
【００３６】
図２は、ＢＤ−Ｒ  ＴＬ／ＱＬ（３２ＧＢ／Ｌまたは３３ＧＢ／Ｌ）のディスク・レイアウトの第１例である。
【００３７】
図１を参照するに、Ｌ０ないしＬ３にそれぞれＯＰＣ領域０  ２０１、ＯＰＣ領域１  ２０２、ＯＰＣ領域２  ２０３、ＯＰＣ領域３  ２０４が配列されており、各層間偏心を考慮して、隣接した層のＯＰＣ領域が半径方向にオーバーラップしないように、バッファ領域０  ２１１、バッファ領域１  ２１２、バッファ領域２  ２１３が配列される。高層に割り当てられたＯＰＣ領域の同一半径にある低層の領域は、いずれも予約領域２２１，２２２，２２３として予約（reserved）されている。例えば、Ｌ３に割り当てられたＯＰＣ領域３  ２０４の同一半径にある低層、すなわち、Ｌ１とＬ２との領域２２３は、いずれも予約されている。このとき、Ｌ０にある永久情報及び制御データ（ＰＩＣ）領域２３１は除外されるが、ＰＩＣ領域２３１は、wobbled  grooveの領域とは異なり、ＨＦＭ（high  frequency  modulated）grooveになっており、上層にＯＰＣ領域が存在しても、その影響は無視することができるのである。
【００３８】
それ以外に、情報記録媒体の記録／再生管理のために臨時ディスク管理領域（ＴＤＭＡ：temporary  disc  management  area）２４１，２４２，２４３，２４４、欠陥管理領域（ＤＭＡ：defect  management  area）、物理制御領域（ＰＡＣ：physical  access  control）、ドライブ領域（drive  area）、コントロールデータ領域（control  data  area）が割り当てられている。
【００３９】
図２でＴＤＭＡは、各層Ｌ０からＬ３まで、それぞれＴＤＭＡ０からＴＤＭＡ３が配列されるが、ＴＤＭＡ０ないしＴＤＭＡ３  ２４１，２４２，２４３，２４４は、Ｌ０ないしＬ３で、ＯＰＣ領域が割り当てられた区間を妨害しない範囲内で割り当てられている。すなわち、ＴＤＭＡ０ないしＴＤＭＡ３は、内周側から外周側に最も外側に配列されたＯＰＣ領域０  ２０１よりもさらに外側にのみ配列されている。かような構造は、ＴＤＭＡの配列がＯＰＣ領域に影響を与えずに、別途の空間に配列されているために、シンプルであってＯＰＣ領域使用と関連して安全であるが、ＴＤＭＡを、ＯＰＣ領域に影響を与えずに別途に配列される構造であるために、リードイン領域にその分容量がさらに多く必要になる。
【００４０】
ＯＰＣ領域、臨時ディスク管理領域（ＴＤＭＡ）、欠陥管理領域（ＤＭＡ）、物理制御領域（ＰＡＣ）、ドライブ領域（drive  area）、コントロールデータ領域（control  data  area）が、半径（radius）２２．５１２ｍｍから割り当てられるとするとき、データ領域の開始（start）は、記録線密度；ディスク管理（disc  management）のために割り当てられたＯＰＣ  area、buffer  zone、ＴＤＭＡ、ＩＮＦＯ  １及びＩＮＦＯ  ２領域の大きさ；によって決定される。
【００４１】
結局、データ領域の開始半径ｒは、下記数式を満足するほどに決定される。
【００４２】
π＊（ｒ＾２−ｙ＾２）＝“Channel  bit＃  of  ＲＵＢ”＊“＃  of  ＲＵＢｓ  in  betweenｙ  and  ｒ”＊“Track  Pitch”＊“Channel  bit  length”
ここで、π＝３．１４１５９２、ｙ＝ＰＩＣ  start半径、“＃  of  ＲＵＢｓ  in  betweenｙ  and  ｒ”＝wobbled  grooveから構成された場合の＃  of  ＲＵＢｓをいう。
【００４３】
データ領域の開始は、ＯＰＣ領域の大きさ、ＴＤＭＡの大きさ、バッファ領域の大きさ、ＩＮＦＯ  zoneの大きさによって決定される（ＲＵＢ（recording  unit  block）の個数も大きさの一種である）。
【００４４】
図２のＯＰＣ領域０  ２０１は、同じ層Ｌ０で、隣接領域が異なる領域として使用されている。すなわち、ＯＰＣ領域０の内周側に隣接した領域は、バッファ領域０であるが、外周側に隣接した領域は、ＩＮＦＯ  ２領域である。このように、ＯＰＣ領域の隣接領域が使用される場合、すなわち、隣接領域が所定データ保存のために使用される場合、当該ＯＰＣ領域で、過大なパワーでテストするとき、同一層の隣接領域が損傷を受ける可能性が高い。これによって、少なくとも２track（track  pitchが０．３２μｍであるから、beam中心から０．６４μｍ）以上、バッファ領域を設けることが好ましいが、線密度を考慮して、適した記録単位ブロック数をＯＰＣ領域内の開始及び／または終了の内部や、ＯＰＣ領域に隣接した隣接領域の内部に、バッファ（buffer）領域を設けることが望ましい。３２ＧＢまたは３３ＧＢである場合、半径２２．５〜２４．５ｍｍ間で、blu-ray  disc  ＲＵＢ（recording  unit  block）（１９３２＊４９８  channel  bits）としては、１track当たり２．６〜２．８ＲＵＢを要するので、少なくとも６ＲＵＢ以上をbuffer領域として置くことが望ましい。
【００４５】
図３は、ＢＤ−Ｒ  ＴＬ／ＱＬ（３２ＧＢ／Ｌまたは３３ＧＢ／Ｌ）のディスク・レイアウトの第２例である。図３で、ＯＰＣ領域の配列は、図２の第１例と同一である。ただし、ＴＤＭＡの配列が異なる。図３で、図２の構成と比較して配列が異なったＴＤＭＡについて、陰影で表示してある。図２では、ＴＤＭＡの配列が、ＯＰＣ領域が配列された区間と別途の区間に配列されたが、図３では、各層の各ＴＤＭＡが、当該層のＯＰＣ領域とは、バッファ領域を挟んで配列される。従って、例えば、ＯＰＣ２  ２０３を基準としたとき、ＯＰＯ２  ２０３より低層の領域２２２は、予約されているが、ＯＰＣ領域２  ２０３より高層であるＬ３には、ＴＤＭＡ３  ２４４が配列される。かような配列が可能である理由は、高層から入射された光ビームは、ターゲット層より低層にさらに影響を多く与えるということに起因する。すなわち、Ｌ２にあるＯＰＣ領域２  ２０３にテスト記録を行う場合、そのテスト記録のための光ビームの影響は、Ｌ１には影響を多く与えるが、Ｌ３には影響を多く与えないというのである。従って、影響を多く受けないＬ３に、ＴＤＭＡ３  ２４４を配列したのである。
【００４６】
このように配列することによって、リードイン領域に要する容量を節約することができる。
【００４７】
図４は、ＢＤ−Ｒ  ＴＬ／ＱＬ（３２ＧＢ／Ｌまたは３３ＧＢ／Ｌ）のディスク・レイアウトの第３例である。図４のレイアウトは、図３のレイアウトと同一であるが、ただし、ＴＤＭＡ２  ２４３とＴＤＭＡ３  ２４４との配列が図３と異なる。Ｌ０の場合、反射膜（heat  sink）があって熱伝逹が一方になり、Ｌ１の対応する領域に、ＴＤＭＡ１  ２４２があっても問題がないが、Ｌ１以上の場合には、熱伝逹が双方向になり、ＯＰＣとＴＤＭＡとを隣接させないようにするために配列された形態である。
【００４８】
図５は、ＢＤ−Ｒ  ＴＬ／ＱＬ（３２ＧＢ／Ｌまたは３３ＧＢ／Ｌ）のディスク・レイアウトの第４例である。図５のレイアウトは、図３のレイアウトと同一であるが、ただし、ＴＤＭＡ０  ２４１とＴＤＭＡ１  ２４２との大きさが異なる。既存のディスク規格、すなわち、データ領域を、半径２４．０から始まる規格に互換させるために、ＴＤＭＡ０  ２４１の大きさを１０２４バイトに減らし、その代わりに、ＴＤＭＡ０が小さくなった分、ＴＤＭＡ１  ２４２の大きさを３０７２バイトに大きくした形態である。図５に実際に表示された例は、３２ＧＢ／Ｌである場合であり、３２ＧＢ／Ｌでは、バッファ領域０，１，２にβ値が追加されるが、β値は、加えられるＲＵＢｓの個数を示している。
【００４９】
図６は、ＢＤ−Ｒ  ＴＬ／ＱＬ（３２ＧＢ／Ｌまたは３３ＧＢ／Ｌ）のディスク・レイアウトの第５例である。図６のレイアウトは、図５のレイアウトと同一であるが、ただし、ＴＤＭＡ２  ２４３とＴＤＭＡ３  ２４４との配列が異なる。前述のように、Ｌ０の場合、反射膜（heat  sink）があって熱伝逹が一方になり、Ｌ１の対応する領域にＴＤＭＡ１があっても問題がないが、Ｌ１以上の場合には、熱伝逹が双方向になり、ＯＰＣとＴＤＭＡとを隣接させないようにするために配列され形態である。
【００５０】
図７は、ＢＤ−Ｒ  ＴＬ（３２ＧＢ／Ｌまたは３３ＧＢ／Ｌ）のディスク・レイアウトの第１例である。図７のレイアウトは、図３のレイアウトと同一であり、ただし図７の場合、３層であるために、Ｌ３の配列がないところが図３と異なる。図８は、ＢＤ−Ｒ  ＴＬ（３２ＧＢ／Ｌまたは３３ＧＢ／Ｌ）のディスク・レイアウトの第２例である。図８のレイアウトは、図７のレイアウトと同一であるが、ただしＴＤＭＡ２
２４３の配列が異なる。前述のように、Ｌ０の場合、反射膜（heat  sink）があって熱伝逹が一方になり、Ｌ１の対応する領域にＴＤＭＡ１があっても問題がないが、Ｌ１以上の場合には、熱伝逹が双方向になり、ＯＰＣとＴＤＭＡとを隣接させないために配列された形態である。ＯＰＣ１とＯＰＣ２との配列も、図７のレイアウトと異なる。
【００５１】
図９は、ＢＤ−ＲＥ  ＴＬ／ＱＬ（３２ＧＢ／Ｌまたは３３ＧＢ／Ｌ）のディスク・レイアウトの第１例である。
【００５２】
ＢＤ−Ｒ（blu-ray  disc  recordable）は、書き換えが不可能であり、一度だけ記録することができるディスクであり、ＢＤ−ＲＥ（blu-ray  disc  rewritale）は、書き換えが可能なディスクである。ＴＤＭＡは、一度だけ記録することができる（追記型）ディスクで、ディスク記録再生管理のための情報を臨時的に記録しておくための領域であるために、書き換え可能なディスクであるＢＤ−ＲＥでは、かようなＴＤＭＡが不要である。
【００５３】
従って、図９のディスク・レイアウトは、図２ないし図６のディスク・レイアウトと類似しているが、ＴＤＭＡ領域が存在せず、また、ＰＩＣ領域９２１がＬ１にも配列されているところが異なる。ＢＤ−ＲＥ  ＤＬ（dual  layer）には、バッファがない。ＲＥでは、ディスク特性上、事実上不要であるが、ＢＤ−ＲＥ  ＴＬ（triple  layer）では、Ｒ  ＴＬと同一構造を有しているために、Ｒ  ＴＬのバッファ領域を、ＲＥ  ＴＬでは、予約領域（reserved）として設けている。
【００５４】
図１０は、ＢＤ−ＲＥ  ＴＬ／ＱＬ（３２ＧＢ／Ｌまたは３３ＧＢ／Ｌ）のディスク・レイアウトの第２例である。図１０のレイアウトは、図９のレイアウトと同一であるが、ただし、ＯＰＣ０及びＯＰＣ１、ＯＰＣ２及びＯＰＣ３の配列が異なる。
【００５５】
かような図２ないし図１０のレイアウトで、各領域のサイズは変わりうることは、いうまでもない。図２ないし図１０の例でＯＰＣ領域の大きさは２０４８バイト、ＴＤＭＡの大きさも２０４８バイトと主になっているが、かような領域の大きさは、ディスクの全体容量によって可変であることは、いうまでもない。
【００５６】
複数の層を有した記録媒体で、各記録層ごとにＯＰＣ領域を割り当てることによって、リードイン容量が不足することがあるが、図１１ないし図１９を参照しつつ、かような不足した容量を考慮して、効果的にリードイン領域の配置を提案する。
【００５７】
図１１は、層ごとの容量による基準ディスク・パラメータ（reference  disc  parameter）を例示している。
【００５８】
容量構造としては、２５ＧＢ／Ｌ  １１１０は、レイヤ当たり２５ＧＢ（gigabyte）である構造、３２ＧＢ／Ｌ  １１２０は、レイヤ当たり３２ＧＢである構造、３３．４ＧＢ／Ｌ  １１３０は、レイヤ当たり３３．４ＧＢである構造を表示している。
【００５９】
基準ディスク・パラメータとして、トラックピッチ、ＲＵＢサイズ、ｐｉ、情報ゾーン／ＰＺ１の開始半径、記録可能なゾーン／ＰＩＣの開始半径、データゾーンの範囲、チャネルビット長、データゾーン容量、リードイン容量が表示されている。ここで、ＰＺ１はprotection  zone  １をいう。
【００６０】
図１２は、ＨＣ  ＢＤ−Ｒ  ＱＬ（high  capacity  blu-ray  recordable  quadruple  layer）の不十分なインナーゾーン容量を説明するための参考図である。
【００６１】
各層ごと１つのＯＰＣ領域、データゾーンの内部直径許容誤差（ｍａｘ０．２ｍｍ）によるＯＰＣバッファゾーン、少なくとも１つのＴＤＭＡ領域を必要とするならば、４層ディスク（ＱＬディスク）のためのリードイン容量は、図１２に図示されているように不十分である。
【００６２】
ＯＰＣ領域とバッファ領域は、それぞれ互いに異なる半径に割り当てられ、ＯＰＣバッファサイズは、半径２３．５ないし２３．６ｍｍから計算されるとするとき、３２ＧＢ／Ｌ  １１２０の場合には、リードイン容量が足りない。図１２でＸは、ＱＬ（４層ディスク）では８２６、ＴＬ（３層ディスク）では８６１である。
【００６３】
２５ＧＢ／Ｌ  １１１０の場合、必要とするリードイン容量は、９４７２ＲＵＢであり、実際のリードイン容量は、９４７９ＲＵＢであって問題がない。
【００６４】
３３．４ＧＢ／Ｌ  １１３０の場合にも、必要とするリードイン容量は、１０４２６ＲＵＢであり、実際のリードイン容量は、１２６５６ＲＵＢであって問題がない。
【００６５】
３２ＧＢ／Ｌ  １１２０の場合、必要とするリードイン容量は、１３２３０ＲＵＢであり、実際のリードイン容量は、１２１３４ＲＵＢであるために、リードイン容量が足りない。
【００６６】
さて、かようなリードイン容量の不足を解決するための内部ゾーンレイアウトの例について説明する。インナーゾーン（inner  zone）にせよ、リードイン領域（lead-in  area）にせよ、同じ意味として使われる。
【００６７】
インナーゾーン・レイアウト・オプション１：
オプション１は、ＴＬディスク及びＱＬディスクいずれのためにも、同じインナーゾーンレイアウト構造を取る。さらに具体的には、次の通りである。
【００６８】
ＰＺ１の開始半径を維持する。
【００６９】
Ｌ０及びＬ１いずれにも、ＰＩＣ領域を割り当てる。Ｌ２からはＰＩＣ領域を割り当てない。
【００７０】
データゾーンの開始半径を維持する。
【００７１】
ＴＤＭＡ０サイズを２０４８から１０２４に減らす。ＴＤＭＡ領域は、ＲＥディスクのために予約しておく。
【００７２】
ＩＮＦＯ  ２のサイズを２５６から１２８に減らす。ＩＮＦＯ  ２から予約された１２８ＲＵＢを除去する。
【００７３】
データゾーンの半径，直径の許容誤差をカバーするＯＰＣバッファゾーンを割り当てる。ＲディスクのためのＯＰＣバッファゾーンは、ＲＥディスクのために予約しておく。
【００７４】
図１３は、インナーゾーン・レイアウト・オプション１の細部構成を示している。ＲＥディスクで、ＴＤＭＡ領域とバッファゾーンは、予約される。ＲＥディスク、すなわち、書き換え可能なディスクでは、ＴＤＭＡが不要であるので、図１３で、ＴＤＭＡで表示された領域と、バッファゾーンで表示された領域は、予約領域になる。
【００７５】
ＴＬディスク（ＲＥ／Ｒ３３．４ＧＢ／Ｌ）で、図１３で、バッファゾーンに＋追加された値が加えられ、Ｌ３は除去される。言い換えれば、ＴＬディスクは３層構造であるために、Ｌ３は不要であるので除去され、バッファゾーンの容量は、＋として追加された値を加えた値になる。例えば、ＴＬディスクでバッファゾーン２の容量は、８４４＋１６４になるという意味である。
【００７６】
図１３を参照するに、Ｌ０とＬ１とには、ＰＩＣ領域１３５０が割り当てられ、ＰＩＣ領域が未割り当ての２層の記録層であるＬ２及びＬ３には、それぞれＯＰＣ領域が割り当てられるが、Ｌ２に割り当てられるＯＰＣ２領域１３３０と、Ｌ３に割り当てられるＯＰＣ３領域１３４０は、互いに異なる半径に配列される。
【００７７】
ＯＰＣ領域３  １３４０は、前記ＰＩＣ領域１３５０が割り当てられた半径内に割り当てられ、ＯＰＣ領域２  １３３０は、前記ＰＩＣ領域１３５０が割り当てられた半径内に、一部がオーバーラップされるように割り当てられる。
【００７８】
このように、少なくとも３層の記録層を含む情報記録媒体において、ＰＩＣ領域が割り当てられた少なくとも１層の記録層を有し、ＰＩＣ領域が未割り当ての少なくとも２層の記録層を有し、前記ＰＩＣ領域が未割り当ての少なくとも２層の記録層それぞれに割り当てられる各ＯＰＣ領域は、互いに異なる半径に配列され、前記ＰＩＣ領域が未割り当ての少なくとも２層の記録層それぞれに割り当てられたＯＰＣ領域のうち少なくとも一つは、前記ＰＩＣ領域が割り当てられた半径内に割り当てられ、少なくとも他の１領域は、前記ＰＩＣ領域が割り当てられた半径内に、一部がオーバーラップされるように割り当てることによって、リードイン領域の容量を効果的に使用することができる。
【００７９】
図１４は、ＨＣ  ＢＤ−Ｒの細部的なＩＮＦＯ  １  １３６０とＩＮＦＯ  ２  １３７０とを示している。図１４で、ＰＡＣはphysical  access  control、ＤＭＡは欠陥管理領域（defect  management  area）、ＣＤはコントロールデータ（control  data）をいう。
【００８０】
ＴＬディスク（ＲＥ／Ｒ３３．４ＧＢ／Ｌ）の場合には、図１４で、Ｌ３が除去される。
【００８１】
図１５は、ＨＣ  ＢＤ−ＲＥの細部的なＩＮＦＯ  １  １３６０とＩＮＦＯ  ２  １３７０とを示している。
【００８２】
ＴＬディスク（ＲＥ／Ｒ３３．４ＧＢ／Ｌ）の場合には、図１５でＬ３が除去される。
【００８３】
インナーゾーン・レイアウト・オプション２：
ＴＬディスクとＱＬディスクとについて、互いに異なるインナーゾーンレイアウト構造を取る。
【００８４】
次のような点は共通している。
【００８５】
１）ＰＺ１の開始半径を維持する。
【００８６】
２）Ｌ０及びＬ１いずれにもＰＩＣ領域を割り当てる。Ｌ２からはＰＩＣ領域を割り当てない。
【００８７】
３）ＴＤＭＡ０サイズを維持する。ＴＤＭＡ領域は、ＲＥディスクのために予約しておく。
【００８８】
４）データゾーンの半径，直径の許容誤差をカバーするＯＰＣバッファゾーンを割り当てる。ＲディスクのためのＯＰＣバッファゾーンは、ＲＥディスクのために予約しておく。
【００８９】
そして、ＨＣ ＢＤ−ＲＥ／Ｒ
ＴＬ disc（３３．４ＧＢ／Ｌ）のインナーゾーン・レイアウトでは、データゾーンの開始半径を維持する。
【００９０】
ＨＣ  ＢＤ−Ｒ  ＱＬ  disc（３２ＧＢ／Ｌ）のインナーゾーン・レイアウトでは、データゾーンの開始半径を２４ｍｍから２４．１１５ｍｍに移動する。その場合、データゾーン容量は、３１．９７１ＧＢ／Ｌである。
【００９１】
図１６は、ＲＥ／Ｒ ＴＬディスクのインナーゾーン・レイアウト・オプション２の細部構成を示している。
【００９２】
ＲＥディスクで、ＴＤＭＡ領域とバッファゾーンは、予約される。
【００９３】
図１６を参照するに、ＰＩＣ領域１６４０は、Ｌ０とＬ１とに割り当てられ、Ｌ２には、ＰＩＣ領域１６４０が割り当てられていない。
【００９４】
Ｌ２に割り当てられたＯＰＣ領域２  １６３０は、Ｌ０に割り当てられたＯＰＣ領域０
１６１０、Ｌ１に割り当てられたＯＰＣ領域１  １６２０とは、互いに異なる半径に割り当てられる。
【００９５】
また、ＰＩＣ領域１６４０が未割り当てのＬ２に割り当てられたＯＰＣ領域２  １６３０は、ＰＩＣ領域１６４０が割り当てられた半径内に割り当てられる。もちろん、ＰＩＣ領域１６４０が未割り当てのＬ２に割り当てられたＯＰＣ領域２  １６３０は、ＰＩＣ領域１６４０が割り当てられた半径の一部にオーバーラップされるように割り当てられることもある。
【００９６】
このように、ＰＩＣ領域が割り当てられた少なくとも２層の記録層を有し、ＰＩＣ領域が未割り当ての少なくとも１層の記録層を有し、前記ＰＩＣ領域が未割り当ての少なくとも１層の記録層に割り当てられたＯＰＣ領域は、前記ＰＩＣ領域が割り当てられた少なくとも２層の記録層それぞれに割り当てられたＯＰＣ領域とは互いに異なる半径に割り当てられ、前記少なくとも２層の記録層に割り当てられたＰＩＣ領域は、互いに同一半径に割り当てられ、前記ＰＩＣ領域が未割り当ての少なくとも１層の記録層に割り当てられたＯＰＣ領域は、前記少なくとも２層の記録層に割り当てられたＰＩＣ領域のうち少なくとも１つのＰＩＣ領域が割り当てられた半径内に一部がオーバーラップされたり、または半径内に割り当てられることによって、リードイン領域の容量を効果的に使用することができる。
【００９７】
図１７は、ＨＣ  ＢＤ−Ｒの細部的なＩＮＦＯ  １  １６５０とＩＮＦＯ  ２  １６６０とを示している。
【００９８】
ＣＤは、コントロールデータを示している。
【００９９】
図１８は、ＨＣ  ＢＤ−ＲＥの細部的なＩＮＦＯ  １  １６５０とＩＮＦＯ  ２  １６６０とを示している。
【０１００】
ＣＤは、コントロールデータを示している。
【０１０１】
図１９は、Ｒ  ＱＬディスクのためのインナーゾーン・レイアウト・オプション２の細部構成を示している。
【０１０２】
図１９に図示されたレイアウトは、図１３に図示されたレイアウトと類似しており、ただし、ＴＤＭＡの配列、データゾーン開始半径、バッファサイズなどが異なる。
【０１０３】
スペア領域での連続代替（contiguous  replacement）
欠陥管理を具備した情報記録媒体は、ユーザデータ領域に発生した欠陥を線形置換するために、一般的にスペア領域（spare  area）を設ける。そして、ユーザデータ領域に生じた欠陥が連続的であるならば、スペア領域に連続的に代替し、その代替された状態を連続欠陥エントリ（entry）として示せば、欠陥情報の大きさを減らすことができる。
【０１０４】
図２０は、ユーザデータ領域の使用方向と、スペア領域の使用方向とが同一であるときのスペア領域での連続欠陥代替について説明するための図である。図２０を参照するに、連続欠陥が生じる前の状態（before）として、スペア領域２０２０に２つの代替クラスタ（replacement  cluster）が存在し、２つの代替クラスタの次のクラスタは、「スペア領域の次の利用可能なＰＳＮ」と指定されたスペア・クラスタ（spare  cluster  indicated  by“next  available  ＰＳＮ  of  ＳＡ”）を示している。
【０１０５】
連続欠陥が発生した後の状態（after）を見れば、ユーザデータ領域２０１０に、１からＮまでの欠陥クラスタ（defective  cluster）が生じ、従って、これを連続的に代替するために、クラスタ１からＮまでの代替クラスタになる。
【０１０６】
図２０に図示されているように、ユーザデータ領域の使用方向（トラッキング方向）と、スペア領域の使用方向とが同じである場合には、スペア領域の連続代替クラスタにデータを記録するときも、トラッキング方向に沿って、そのまま記録を遂行すればよい。
【０１０７】
一方、スペア領域は、使用上の柔軟性のために、初期化過程やフォーマッティング過程で、その大きさを変更して割り当てることが可能であり、また使用中にスペア領域の拡張も可能である。
【０１０８】
ユーザデータを管理するファイル・システム（file  system）は、ユーザデータを保存するボリューム・スペース（volume  space）の最初と最後とに主に保存され、ユーザデータは、volume spaceの先頭からだんだんと保存されるのが一般的である。かような理由により、スペア領域の拡張のために、ユーザデータが記録される方向と、スペア領域の使用方向とを反対にして、その拡張を容易にする。
【０１０９】
ディスク上でのかような概念は、ユーザデータの記録方向（トラッキング方向）と、拡張可能なスペア領域の使用方向とが互いに反対となる。
【０１１０】
スペア領域の使用方向と、ユーザデータ領域の使用方向とが互いに異なる場合、連続欠陥を連続的に代替し難い。なぜならば、ユーザデータは、主にトラッキング方向に記録されるが、スペア領域は、これとは反対であるトラッキング方向と反対方向に使われるためである。
【０１１１】
図２１は、ユーザデータ領域の使用方向と、スペア領域の使用方向とが反対であるとき、示されうる連続代替記録状態について説明するための参考図である。図２１を参照するに、ユーザデータ領域２０１０に、欠陥クラスタ１，２，３が連続的に生じた場合、スペア領域２０２０に、連続欠陥クラスタ１，２，３を代替するために、連続代替クラスタ１，２，３にデータ記録を行う。このとき、スペア領域２０２０の使用方向がトラッキング方向と反対であるから、最も右側にある代替クラスタから記録し始め、次に２番目のクラスタに、そして３番目のクラスタにデータ記録を行う。しかし、トラッキング方向は、相変らず左側から右側であるために、各代替クラスタ内でのデータ記録は、左側から右側に進む。すなわち、図２１で、スペア領域２０２０の代替クラスタ１内部の左側先頭から右側に記録を進め、代替クラスタ１の記録がいずれも完了すれば、ピックアップは、代替クラスタ２の左側先頭にジャンプし、代替クラスタ２内部の左側先頭から右に記録を進め、代替クラスタ２の記録がいずれも完了すれば、ピックアップは、代替クラスタ３の左側先頭にジャンプし、代替クラスタ３内部の左側先頭から右に記録を進める。従って、スペア領域の使用方向が、トラッキング方向と反対である場合には、スペア領域の連続代替クラスタにデータを記録する場合にも、ピックアップは、１つのクラスタを記録した後ごとにジャンプを行わなければならないために、記録に時間が多くかかり、かつ効率がかなり落ちる。また、このように記録されたデータを再生するときも、同じような問題点が現れる。すなわち、再生の場合にも、連続的に代替されたデータではあるが、クラスタ１を再生してから、ジャンプしてクラスタ２を再生し、またジャンプしてクラスタ３を再生せねばならないために、再生にも時間が多くかかる。従って、トラッキング方向と、スペア領域の使用方向とが反対であるとき、連続欠陥代替記録にかかる時間を節約するための方案を提案する。
【０１１２】
図２２は、本発明によって、トラッキング方向と、スペア領域の使用方向とが反対であるとき、連続欠陥代替記録にかかる時間を節約するための記録方法の一例である。
【０１１３】
連続欠陥が生じる前の状態（before）として、スペア領域２０２０に、２つの代替クラスタ（replacement  cluster）が存在し、２つの代替クラスタの次のクラスタは、「スペア領域の次の利用可能なＰＳＮ」によって指定されたスペア・クラスタ（spare  cluster  indicated  by“next  available  ＰＳＮ  of  ＳＡ”）を示している。
【０１１４】
連続欠陥が発生した後の状態（after）を見れば、ユーザデータ領域２０１０に、１からＮまでの欠陥クラスタ（defective  cluster）が生じ、従って、これを連続的に代替するために、クラスタ１からＮまでが代替クラスタになる。このとき、連続欠陥が発生した事実は、ドライブであらかじめ知っているために、すなわち、ドライブは、連続欠陥クラスタを代替する連続欠陥代替クラスタの総サイズを知っている。従って、ドライブは、連続欠陥クラスタを代替するクラスタを、スペア領域のどのクラスタから始まってどのクラスタまでにするかを知っているために、連続代替クラスタの開始クラスタと終了クラスタとを定め、その範囲内で、左側から右側にトラッキング方向に記録を行うのである。すなわち、図２２を参照するに、代替クラスタ１を記録してから代替クラスタ２を記録し、かような方式で代替クラスタＮまで記録を行う。
【０１１５】
図２３ないし図２６は、本発明による情報記録媒体を使用する記録再生装置、及び本発明による情報記録媒体にデータを記録再生するための過程を示すフローチャートを示している。図２３ないし図２６を参照しつつ、本発明による情報記録媒体と関連した記録再生装置及び記録再生方法について説明する。
【０１１６】
図２３は、本発明による記録再生装置の概略的なブロック図である。図２３を参照するに、本実施形態による装置は、記録／読み取り部２３１０、制御部２３２０を含む。
【０１１７】
記録／読み取り部２３１０は、制御部２３２０の制御によって、本実施形態による情報記録媒体である記録媒体１００にデータを記録し、記録されたデータを読み取る。
【０１１８】
制御部２３２０は、記録媒体１００にデータを記録したり読み取るように、記録／読み取り部２３１０を制御する。記録時には、本願による情報記録媒体にデータを記録したり、ＯＰＣ領域にテスト記録を行ったりし、再生時には、本実施形態よる他の情報記録媒体からデータを再生する。
【０１１９】
記録側面の装置と再生側面の装置は、別個の装置によって具現されることもあり、図２４に図示されているように、１つのシステムによって具現されることもある。
【０１２０】
図２４は、図２３に図示された本発明による記録再生装置が具現されたドライブのブロック図である。図２４を参照するに、該ドライブは、記録／読み取り部２３１０として、ピックアップを具備する。記録媒体１００は、ピックアップに装着されている。また該ドライブは、制御部２３２０として、ホストＩ／Ｆ（interface）１、ＤＳＰ（digital  signal  processor）２、ＲＦ  ＡＭＰ（radio  frequency  amplifier）３、サーボ４及びシステム・コントーラ５を具備する。
【０１２１】
記録時に、ホストＩ／Ｆ  １は、ホスト（図示せず）から記録するデータと共に、記録命令を受ける。システム・コントローラ５は、記録に必要な初期化を行う。ＤＳＰ  ２は、ホストＩ／Ｆ  １から受けた記録するデータを、エラー訂正のために、パリティなどの付加データを添加し、ＥＣＣ（error  correcting  code）エンコーディングを行った後、ＥＣＣエンコーディングされたデータを既定の方式で変調する。ＲＦ  ＡＭＰ  ３は、ＤＳＰ  ２から出力されたデータをＲＦ信号に変える。ピックアップ２３１０は、ＲＦ  ＡＭＰ  ３から出力されたＲＦ信号を記録媒体１００に記録する。サーボ４は、システム・コントローラ５からサーボ制御に必要な命令を入力され、ピックアップ２３１０をサーボ制御する。
【０１２２】
特に、本発明によるシステム・コントローラ５は、本実施形態のようなＯＰＣ領域ないしＴＤＭＡ領域が配列された記録媒体、すなわち、図１ないし図１９で図示されたような記録媒体にデータを記録するように制御する。
【０１２３】
特に、本発明によるシステム・コントローラ５は、ユーザデータを記録するためのユーザデータ領域と、前記ユーザデータ領域で検出された欠陥を代替するためのスペア領域と、を含み、前記ユーザデータ領域のトラッキング方向と、前記スペア領域の使用方向は、互いに反対である情報記録媒体にデータを記録する。システム・コントローラ５は、前記ユーザデータ領域で検出された連続的な欠陥クラスタを代替するための前記スペア領域の連続的な代替クラスタにデータを記録するとき、前記連続的な代替クラスタのうち、前記トラッキング方向で最初の代替クラスタからデータを記録するように、ピックアップを制御する（２５１０（図２５））。
【０１２４】
再生時、ホストＩ／Ｆ  １は、ホスト（図示せず）から再生命令を受ける。システム・コントローラ５は、再生に必要な初期化を行う。ピックアップ２３１０は、記録媒体１００にレーザビームを照射し、記録媒体１００から反射されたレーザビームを受光して得られた光信号を出力する。ＲＦ  ＡＭＰ  ３は、ピックアップ２３１０から出力された光信号をＲＦ信号に変え、ＲＦ信号から得られた変調されたデータをＤＳＰ  ２に提供する一方、ＲＦ信号から得られた制御のためのサーボ信号をサーボ４に提供する。ＤＳＰ  ２は、変調されたデータを復調し、ＥＣＣエラー訂正を経て得られたデータを出力する。一方、サーボ４は、ＲＦ  ＡＭＰ  ３から受けたサーボ信号と、システム・コントローラ５から受けたサーボ制御に必要な命令とを受け、ピックアップ２３１０に対するサーボ制御を行う。ホストＩ／Ｆ  １は、ＤＳＰ  ２から受けたデータをホストに送る。
【０１２５】
特に、本発明によるシステム・コントローラ５は、本実施形態のようなＯＰＣ領域ないしＴＤＭＡ領域が配列された記録媒体、すなわち、図１ないし図１９で図示されたような記録媒体からデータを再生するように制御する。
【０１２６】
また、本発明によるシステム・コントローラ５は、ユーザデータを記録するためのユーザデータ領域と、前記ユーザデータ領域で検出された欠陥を代替するためのスペア領域と、を含み、前記ユーザデータ領域のトラッキング方向と、前記スペア領域の使用方向は、互いに反対である情報記録媒体からデータを再生する。特に、このとき、ユーザデータ領域で検出された連続的な欠陥クラスタを代替する前記スペア領域の連続的な代替クラスタからデータを再生するとき、前記連続的な代替クラスタのうち、前記トラッキング方向で最初の代替クラスタからデータを再生するようにピックアップを制御する（２６１０（図２６））。
【０１２７】
前述のような記録再生方法はまた、コンピュータで読み取り可能な記録媒体に、コンピュータで読み取り可能なコードとして具現することが可能である。コンピュータで読み取り可能な記録媒体は、コンピュータ・システムによって読み取り可能なデータが保存されるあらゆる種類の記録装置を含む。コンピュータで読み取り可能な記録媒体の例としては、ＲＯＭ（read-only  memory）、ＲＡＭ（random-access  memory）、ＣＤ（compact  disc）−ＲＯＭ、磁気テープ、フロッピー（登録商標）ディスク、光データ保存装置などがあり、またキャリアウェーブ（例えば、インターネットを介した伝送）の形態で具現されるものも含む。また、コンピュータで読み取り可能な記録媒体は、ネットワークに連結されたコンピュータ・システムに分散され、分散方式でコンピュータで読み取り可能なコードが保存されて実行されうる。そして、前記記録再生方法を具現するための機能的な（function）プログラム、コード及びコードセグメントは、本発明が属する技術分野のプログラマらによって容易に推論されるであろう。
【０１２８】
以上、本発明について、その望ましい実施形態を中心に説明した。本発明が属する技術分野で当業者であるならば、本発明が本発明の本質的な特性から外れない範囲で変形された形態で具現されうることを理解することができるであろう。よって、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれたものであると解釈されねばならない。
【図１】
0005555262.tif 000002
【図２】
0005555262.tif 000003
【図３】
0005555262.tif 000004
【図４】
0005555262.tif 000005
【図５】
0005555262.tif 000006
【図６】
0005555262.tif 000007
【図７】
0005555262.tif 000008
【図８】
0005555262.tif 000009
【図９】
0005555262.tif 000010
【図１０】
0005555262.tif 000011
【図１１】
0005555262.tif 000012
【図１２】
0005555262.tif 000013
【図１３】
0005555262.tif 000014
【図１４】
0005555262.tif 000015
【図１５】
0005555262.tif 000016
【図１６】
0005555262.tif 000017
【図１７】
0005555262.tif 000018
【図１８】
0005555262.tif 000019
【図１９】
0005555262.tif 000020
【図２０】
0005555262.tif 000021
【図２１】
0005555262.tif 000022
【図２２】
0005555262.tif 000023
【図２３】
0005555262.tif 000024
【図２４】
0005555262.tif 000025
【図２５】
0005555262.tif 000026
【図２６】
0005555262.tif 000027